(57)【要約】【課題】演出効果を高めることにより遊技の興趣を向上できる遊技機を提供する。【解決手段】ミラー部材４１は、第一反射面４４に入射した光の全部をハーフミラー部材４６の第二反射面４７に向けて反射し、ハーフミラー部材４６は、第二反射面４７に入射した光の一部をミラー部材４１の第一反射面４４に向けて反射するとともに、第二反射面４７に入射した光の一部を透過してハーフミラー部材表面４８から外部に向かって放出し、発光装飾装置３０は、ハーフミラー部材４６を透過した透過光パターンＬａ１〜Ｌａ５により光装飾をなし、ミラー部材４１の第一反射面４４とハーフミラー部材４６の第二反射面４７とは、離間距離が変化するように設けられていることを特徴としている。【選択図】図３
2015027364.tif 000002
【特許請求の範囲】
【請求項１】
遊技盤面に遊技球を発射することにより遊技が行われる遊技機であって、
発光手段と、前記遊技盤面側に配置されるミラー部材と、前記ミラー部材と対向して配置されるハーフミラー部材と、を有する発光装飾手段を備え、
前記ミラー部材の第一反射面と、前記ハーフミラー部材の第二反射面とは、互いに対向して設けられ、
前記ミラー部材は、前記第一反射面に入射した光の全部を前記ハーフミラー部材の前記第二反射面に向けて反射し、
前記ハーフミラー部材は、前記第二反射面に入射した光の一部を前記ミラー部材の前記第一反射面に向けて反射するとともに、前記第二反射面に入射した光の一部を透過して前記第二反射面とは反対側のハーフミラー部材表面から前記発光装飾手段の外部に向かって放出し、
前記発光装飾手段は、前記ハーフミラー部材を透過した透過光により光装飾をなし、
前記ミラー部材の前記第一反射面と前記ハーフミラー部材の前記第二反射面とは、離間距離が変化するように設けられていることを特徴とする遊技機。
【発明の詳細な説明】
【技術分野】
【０００１】
この発明は、パチンコ遊技機等の遊技機に関する。
【背景技術】
【０００２】
遊技機として、遊技球などの遊技媒体を発射装置によって遊技領域に発射し、遊技領域に設けられている入賞口などの入賞領域に遊技媒体が入賞すると、所定個の賞球といった景品遊技媒体が遊技者に付与されるものがある。この種の遊技機は、遊技状態に応じて発光装飾手段を発光させて演出効果を高めている（例えば、特許文献１参照）。
【０００３】
特許文献１には、遊技者側の前面に配置され透光性材料からなる第１透明板と、第１透明板の背面側に設けられ、入射する光の一部を反射しまたは透過するハーフミラー部と、ハーフミラー部の背面側に設けられ透光性材料からなる第２透明板と、第２透明板の背面側に設けられ入射する光を反射するミラー部と、ミラー部の前面に視覚情報として形成された表示パターンと、ミラー部の背面側に設けられ前方に光を照射する光源と、ミラー部に設けられ光源が照射した光を第２透明板に導く導光手段と、を有する、表示を含む装飾が施された外装部を備えた遊技機が記載されている。
【０００４】
特許文献１に記載の遊技機によれば、発光装飾手段は、光源からの光が表示パターンに照射されると、表示パターンが奥行き方向に、複数の同一パターンが存在するかのように多重化することができるとされている。
【先行技術文献】
【特許文献】
【０００５】
【特許文献１】特開２０１０−２９４０８号公報
【発明の概要】
【発明が解決しようとする課題】
【０００６】
しかしながら、特許文献１に記載の遊技機は、発光装飾手段の光源により照射された光の反射位置が一定間隔となっているため、遊技者に視認される複数の表示パターンも等間隔となる。したがって、発光装飾手段の演出効果を高め、遊技の興趣を向上するという点で改善の余地があった。
【０００７】
そこで、本発明は、上記事情に鑑みたものであって、演出効果を高めることにより遊技の興趣を向上できる遊技機を提供することを目的とする。
【課題を解決するための手段】
【０００８】
上記の課題を解決するため、本発明の請求項１に記載の遊技機は、遊技盤面（例えば、実施形態における遊技盤面３Ａ）に遊技球を発射することにより遊技が行われる遊技機（例えば、実施形態におけるパチンコ遊技機１）であって、発光手段（例えば、実施形態における発光ユニット３６）と、前記遊技盤面側に配置されるミラー部材（例えば、実施形態におけるミラー部材４１）と、前記ミラー部材と対向して配置されるハーフミラー部材（例えば、実施形態におけるハーフミラー部材４６）と、を有する発光装飾手段（例えば、実施形態における発光装飾装置３０）を備え、前記ミラー部材の第一反射面（例えば、実施形態における第一反射面４４）と、前記ハーフミラー部材の第二反射面（例えば、実施形態における第二反射面４７）とは、互いに対向して設けられ、前記ミラー部材は、前記第一反射面に入射した光の全部を前記ハーフミラー部材の前記第二反射面に向けて反射し、前記ハーフミラー部材は、前記第二反射面に入射した光の一部を前記ミラー部材の前記第一反射面に向けて反射するとともに、前記第二反射面に入射した光の一部を透過して前記第二反射面とは反対側のハーフミラー部材表面（例えば、実施形態におけるハーフミラー部材表面４８）から前記発光装飾手段の外部に向かって放出し、前記発光装飾手段は、前記ハーフミラー部材を透過した透過光により光装飾をなし、前記ミラー部材の前記第一反射面と前記ハーフミラー部材の前記第二反射面とは、離間距離が変化するように設けられていることを特徴としている。
【０００９】
本発明の上記構成によれば、ミラー部材の第一反射面とハーフミラー部材の第二反射面とは、離間距離が変化するように設けられているので、ミラー部材の第一反射面とハーフミラー部材の第二反射面との間で反射する光の移動距離が異なるとともに、隣り合う光の反射位置の間隔が異なることになる。これにより、遊技者に視認される複数の透過光パターンの輝度を異ならせるとともに、複数の透過光パターンの間隔を異ならせることができるので、立体感を有するとともに変化に富む透過光パターンを表示することができる。したがって、演出効果を高めることにより遊技の興趣を向上できる。
【００１０】
また、本発明の手段１に係る遊技機は、請求項１に記載の遊技機であって、前記ミラー部材は、前記遊技盤面に対して平行に設置され、前記ハーフミラー部材は、前記ミラー部材に対して傾斜するように設置されていることを特徴としている。
【００１１】
本発明の手段１に係る構成によれば、ハーフミラー部材の傾斜方向に沿って遊技者に視認される複数の透過光パターンの輝度を異ならせるとともに、複数の透過光パターンの間隔を異ならせることができるので、発光装飾手段にさらなる立体感を付与することができる。したがって、演出効果をさらに高めることにより遊技の興趣を一層向上できる。
また、ミラー部材が遊技盤面に対して平行に設置されているので、発光装飾手段を遊技盤面に対して容易にかつ安定して装着することができる。
【００１２】
また、本発明の手段２に係る遊技機は、請求項１または手段１に記載の遊技機であって、前記ミラー部材の前記第一反射面と前記ハーフミラー部材の前記第二反射面との離間距離は、光の進行方向の上流側から下流側に向かって漸次小さくなっていることを特徴としている。
【００１３】
本発明の手段２に係る構成によれば、ハーフミラー部材の第二反射面を透過した透過光パターンは、光源から遠ざかるにつれて隣り合う透過光パターンの間隔が漸次狭くなるとともに、輝度が漸次低下するので、遊技盤面の厚さ方向に奥行があるように、立体感を持った演出効果を発揮できる。
【００１４】
また、本発明の手段３に係る遊技機は、請求項１に記載の遊技機または手段１または手段２に記載の遊技機であって、前記発光装飾手段は、前記ハーフミラー部材よりも遊技者側に、光拡散部（例えば、実施形態におけるレンズ５１）を有することを特徴としている。
【００１５】
本発明の手段３に係る構成によれば、光拡散部を設けることにより、光の拡散度合を所望に設定できるとともに、視認性に優れた透過光パターンとすることができる。
【００１６】
また、本発明の手段４に係る遊技機は、請求項１に記載の遊技機または手段１から手段３のいずれか１つに記載の遊技機であって、前記発光手段は、前記ミラー部材の前記第一反射面と前記ハーフミラー部材の前記第二反射面とに光を入射させることを特徴としている。
【００１７】
本発明の手段４に係る構成によれば、ミラー部材の第一反射面とハーフミラー部材の第二反射面とに光が入射するので、ミラー部材の第一反射面とハーフミラー部材の第二反射面とで光を複数回反射させることができる。これにより、発光装飾手段は、多くの透過光パターンを表示させることができるので、演出効果をさらに高めることにより遊技の興趣を一層向上できる。
【００１８】
また、本発明の手段５に係る遊技機は、請求項１に記載の遊技機または手段１から手段４のいずれか１つに記載の遊技機であって、前記発光手段は、多色発光することを特徴としている。
【００１９】
本発明の手段５に係る構成によれば、発光手段が多色発光するので、異なる色で複数の透過光パターンを表示させることができる。したがって、演出効果をさらに高めることにより遊技の興趣を一層向上できる。
【図面の簡単な説明】
【００２０】
【図１】本発明の実施形態に係る遊技機の正面図である。
【図２】実施形態に係る発光装飾装置の分解斜視図である。
【図３】図１のＡ−Ａ線に沿った断面図である。
【図４】実施形態に係る発光装飾装置の拡大図である。
【図５】実施形態の変形例に係る発光装飾装置の分解斜視図である。
【図６】図１のＢ−Ｂ線に沿った断面図である。
【図７】実施形態の変形例に係る発光装飾装置の拡大図である。
【発明を実施するための形態】
【００２１】
以下、本発明の実施形態を図面に基づき説明する。
図１は、パチンコ遊技機１（請求項の「遊技機」に相当。）の正面図である。なお、以下の説明で用いる図において、「上」、「下」、「左」、「右」はパチンコ遊技機１の方向を示している。また、パチンコ遊技機１の前後方向は、図１の紙面手前側であって遊技者側を「前」とし、図１の紙面奥側を「後」とする。
【００２２】
パチンコ遊技機１は、縦長の矩形状に形成された遊技枠２と、遊技枠２に取り付けられて遊技盤面３Ａを構成する遊技盤３と、で主に構成されている。遊技枠２は、遊技盤３を着脱可能に収容する収容部を有する縦長の方形枠状の台枠４と、台枠４の側部前面側に、上下方向に沿って延びる軸線を軸中心として開閉可能に設けられたガラス扉枠５および下扉枠６と、を備えている。
【００２３】
遊技盤３は、台枠４に収容された状態でガラス扉枠５によって覆われている。ガラス扉枠５には、遊技盤３の前面に形成される遊技領域３Ｂを遊技者側から視認可能とする略円形状の透視窓（図示略）が設けられている。
【００２４】
遊技領域３Ｂは正面視で円形状の領域とされ、遊技盤３の前面には、遊技領域３Ｂの周囲（周縁部）を回り込むように延設された円弧状のガイドレール７が設けられている。打球発射装置８は、遊技領域３Ｂよりも下方の位置であって台枠４の下部右側に収容され、下扉枠６によって覆われている。
【００２５】
下扉枠６の前面上部には、打球供給皿（上皿）９が設けられ、下扉枠６において、打球供給皿９の下方には、打球供給皿９に収容しきれない遊技媒体としての遊技球を貯留する余剰球受皿１０（下皿）や、遊技球を発射する打球操作ハンドル（操作ノブ）１１が設けられている。
【００２６】
遊技領域３Ｂの中央付近には、演出表示装置１２が設けられている。演出表示装置１２は、それぞれが演出用の飾り図柄（演出図柄）を可変表示する複数の可変表示部を有している。
演出表示装置１２の下方には、第１始動入賞口１３ａを有する普通入賞球装置１４が設けられている。第１始動入賞口１３ａに入賞した遊技球は、遊技盤３の背面側に導かれ、第１始動口スイッチおよび第１入賞確認スイッチ（図示略）によって検出される。また、第１始動入賞口１３ａを有する普通入賞球装置１４の下方には、遊技球が入賞可能な第２始動入賞口１３ｂを有する普通可変入賞球装置１５が設けられている。第２始動入賞口１３ｂに入賞した遊技球は、遊技盤３の背面側に導かれ、第２始動口スイッチおよび第２入賞確認スイッチ（図示略）によって検出される。
【００２７】
普通可変入賞球装置１５は、ソレノイド（図示略）によって開状態とされる。普通可変入賞球装置１５が開状態になることによって、遊技球が第２始動入賞口１３ｂに入賞可能になり（始動入賞し易くなり）、遊技者にとって有利な状態になる。なお、普通可変入賞球装置１５が開状態になっている状態では、第１始動入賞口１３ａよりも、第２始動入賞口１３ｂに遊技球が入賞し易い。また、普通可変入賞球装置１５が閉状態になっている状態では、遊技球は第２始動入賞口１３ｂに基本的に入賞しないが、入賞はしづらいものの入賞することが可能な構成としてもよい。ちなみに、図１においては、普通可変入賞球装置１５の開状態が示されており、普通可変入賞球装置１５が備える可動翼片の傾動位置を実線で示し、便宜上、普通可変入賞球装置１５の閉状態における可動翼片の垂直位置を破線で示している。また、遊技領域３Ｂには、遊技球の挙動を変化させたり、遊技球を入賞球装置に誘導したりする釘等が設けられている。
【００２８】
遊技者が操作ノブ１１を回転操作することにより、打球発射装置８から遊技球が発射される。また、打球供給皿９に貯留された遊技球は、打球発射装置８が遊技球を１発発射し終える度に、順次、打球発射装置８に供給される。パチンコ遊技機１では、打球発射装置８から発射された遊技球が、ガイドレール７を通過して、遊技領域３Ｂに打ち込まれることで遊技が行われる。
【００２９】
パチンコ遊技機１では、第１始動入賞口１３ａまたは第２始動入賞口１３ｂへの入賞を契機に大当り抽選が行われる。大当りに当選した場合には、演出表示装置１２において飾り図柄を特定表示結果とすることで、遊技者に大当りである旨が報知される。また、演出表示装置１２では、大当り抽選中に飾り図柄を変動させるとともに、大当りに対する期待度に応じた演出などが行われる。
【００３０】
普通可変入賞球装置１５の下方には、特別可変入賞球装置２０が設けられている。特別可変入賞球装置２０は、大当りとなった場合に生起する特定遊技状態（大当り遊技状態）において、ソレノイド（図示略）によって、大入賞口２１を開放状態とする。遊技者は、大当り遊技状態において大入賞口２１に遊技球を入賞させることで多くの賞球が得られる。また、遊技領域３Ｂの下方側にはアウト口２２が設けられ、何ら入賞せずに流下した遊技球は、アウト口２２から排出されるようになっている。
【００３１】
本実施形態のパチンコ遊技機１は、特別可変入賞球装置２０よりも右側であって遊技領域３Ｂの縁部に、発光装飾装置３０（請求項の「発光装飾手段」に相当。）を備えている。発光装飾装置３０は、前方から見て右側縁部が遊技領域３Ｂの外縁に沿うように円弧状に形成された扇形状の部材であって、例えば大当りに対する期待度に対応した発光演出や、大当り遊技状態に対応した発光演出を行う装置である。以下に、発光装飾装置３０の構成について詳細に説明する。
【００３２】
（発光装飾装置）
図２は、実施形態に係る発光装飾装置３０の分解斜視図である。
図３は、図１のＡ−Ａ線に沿った断面図である。
図２に示すように、発光装飾装置３０は、ベース部材３１と、ミラー部材４１と、発光ユニット３６（請求項の「発光手段」に相当。）と、ハーフミラー部材４６と、レンズ５１と、ケース部材５６と、を備えている。
【００３３】
ベース部材３１は、例えば樹脂材料等により形成された板状の部材である。ベース部材３１には、不図示のボルトを挿通可能な挿通孔３２が複数設けられている。発光装飾装置３０は、挿通孔３２にボルトを挿通して遊技盤３（図１参照）に締結することにより、遊技盤面３Ａ（図１参照）上に固定される。
【００３４】
ミラー部材４１は、例えば樹脂材料等により形成された板状の部材である。ミラー部材４１は、外形がベース部材３１よりも一回り小さい扇形状の底部４２と、底部４２の上下方向の端部において前方に向かって屈曲した一対の屈曲部４３と、により、全体としてＵ字形状に形成されている。底部４２の右側縁部は、前方視で遊技領域３Ｂ（図３参照）の外縁に沿うように円弧状に形成された弧状縁部４２ａとなっている。
【００３５】
ミラー部材４１のうち、少なくとも底部４２の前方面は、第一反射面４４となっている。第一反射面４４は、ミラー部材４１の底部４２の前方面に対して、例えばアルミニウムやクロム、亜鉛等の金属材料を蒸着することにより形成される。ここで、第一反射面４４に蒸着される金属材料の膜厚は、入射した光の全部を反射可能なように設定される。
図３に示すように、ミラー部材４１の底部４２は、平坦に形成されており、ベース部材３１を介して遊技盤面３Ａに対して平行に設置されている。これにより、ミラー部材４１の底部４２は、ベース部材３１に対して全面で接することができるので、遊技盤面３Ａに対して、発光装飾装置３０を容易にかつ安定して装着することができる。
【００３６】
図２に示すように、発光ユニット３６は、例えばポリイミド等の樹脂材料からなる絶縁層と、該絶縁層内に形成された導電回路と、により構成された可撓性を有するフレキシブル基板３７に、ＬＥＤ（Ｌｉｇｈｔ  Ｅｍｉｔｔｉｎｇ  Ｄｉｏｄｅ：発光ダイオード）等の発光素子３８を複数設けることにより形成されている。フレキシブル基板３７上において隣り合う発光素子３８同士の間隔は、略一定となっている。
発光ユニット３６に設けられた複数の発光素子３８から照射される光色は、各々同一であってもよいし、各々異なっていてもよい。
【００３７】
発光ユニット３６は、ミラー部材４１における底部４２の第一反射面４４上において、弧状縁部４２ａに沿うように、かつミラー部材４１の底部４２と発光ユニット３６のフレキシブル基板３７とが直交するように配置されている。発光ユニット３６の発光素子３８から照射された光は、ミラー部材４１の第一反射面４４とハーフミラー部材４６の第二反射面４７とに入射する。
発光ユニット３６の発光素子３８は、弧状縁部４２ａの周方向に沿って複数並んで等間隔に配置される。これにより、発光素子３８は、弧状縁部４２ａの径方向における外側から内側に向かって、光を照射することができる。
【００３８】
図３に示すように、ハーフミラー部材４６は、例えば樹脂材料等により形成された板状の部材であって、外形状がミラー部材４１の底部４２と略同一の扇形状となっている。ハーフミラー部材４６は、発光ユニット３６を挟んでミラー部材４１の底部４２とは反対側に配置されており、ミラー部材４１の底部４２に対向して設けられている。
ハーフミラー部材４６の両主面のうち、ミラー部材４１の底部４２に面する主面は、第二反射面４７となっている。また、第二反射面４７とは反対側の主面は、前方に面するとともに遊技者により視認されるハーフミラー部材表面４８となっている。
【００３９】
第二反射面４７は、例えばアルミニウムやクロム、亜鉛等の金属材料を蒸着することにより形成される。ここで、第二反射面４７に蒸着される金属材料の膜厚は、入射した光の一部を反射可能であるとともに、入射した光の一部をハーフミラー部材表面４８から外部に向かって透過可能なように設定される。
ミラー部材４１の第一反射面４４と、ハーフミラー部材４６の第二反射面４７とは、互いに対向して設けられている。
【００４０】
発光ユニット３６の発光素子３８から照射された光は、ミラー部材４１の第一反射面４４で全反射してハーフミラー部材４６の第二反射面４７に入射し、もしくは発光ユニット３６の発光素子３８から直接ハーフミラー部材４６の第二反射面４７に入射する。また、ハーフミラー部材４６の第二反射面４７に入射した光の一部は、ハーフミラー部材４６の第二反射面４７により反射した後、さらにミラー部材４１の第一反射面４４で全反射して再びハーフミラー部材４６の第二反射面４７に入射する。以降、発光ユニット３６の発光素子３８から照射された光は、ミラー部材４１の第一反射面４４とハーフミラー部材４６の第二反射面４７との間で入反射が繰り返される。
そして、ハーフミラー部材４６の第二反射面４７に入射した光の一部は、第二反射面４７を透過し、複数の点状の透過光パターンＬａ１〜Ｌａ５としてハーフミラー部材表面４８から発光装飾装置３０の外部に放出される。
【００４１】
また、ハーフミラー部材４６は、ミラー部材４１に対して傾斜するように設置されている。具体的には、ハーフミラー部材４６は、第二反射面４７が発光ユニット３６側にわずかに面するように傾斜している。このため、ミラー部材４１の第一反射面４４とハーフミラー部材４６の第二反射面４７との離間距離は、発光ユニット３６から照射する光の進行方向の上流側から下流側に向かって（すなわち図３における右側から左側に向かって）漸次小さくなっている。
【００４２】
レンズ５１は、例えばポリカーボネート樹脂やアクリル樹脂等の光透過性を有する樹脂材料により形成された板状の部材であって、外形状がハーフミラー部材４６と略同一の扇形状となっている。レンズ５１は、ハーフミラー部材４６よりも前方（すなわち遊技者側）においてハーフミラー部材表面４８の全面に接触しており、ハーフミラー部材４６に対して積層されている。本実施形態のレンズ５１は、例えばハーフミラー部材４６側の主面がシボ加工された、いわゆる光拡散レンズとなっている。これにより、レンズ５１は、透過光パターンＬａ１〜Ｌａ５の拡散度合を所望に設定するとともに、視認性に優れた透過光パターンＬａ１〜Ｌａ５としている。
【００４３】
ケース部材５６は、例えば樹脂材料等により形成された枠状の部材である。ケース部材５６は、枠体の内側にレンズ５１、ハーフミラー部材４６、発光ユニット３６およびミラー部材４１を保持している。レンズ５１、ハーフミラー部材４６、発光ユニット３６およびミラー部材４１の各部材は、例えば接着やスナップフィット等によりケース部材５６に対して固定されている。さらに、ケース部材５６は、例えば不図示のボルト等により、ベース部材３１に締結固定されている。
【００４４】
続いて、上述のように構成された実施形態に係る発光装飾装置３０の作用について説明する。
発光ユニット３６の発光素子３８から照射された光は、まず、ミラー部材４１の第一反射面４４と、ハーフミラー部材４６の第二反射面４７とに入射する。
ハーフミラー部材４６は、入射した光の一部を透過し、第二反射面４７とは反対側のハーフミラー部材表面４８から発光装飾装置３０の外部に向かって放出する。これにより、ハーフミラー部材４６を透過した透過光は、点状の透過光パターンＬａ１として発光する。また、ハーフミラー部材４６は、第二反射面４７に入射した光の一部を、第二反射面４７と対向するミラー部材４１の第一反射面４４に向けて反射する。
【００４５】
発光ユニット３６の発光素子３８からミラー部材４１の第一反射面４４に直接入射した光、およびハーフミラー部材４６の第二反射面４７で反射した後にミラー部材４１の第一反射面４４に入射した光は、それぞれミラー部材４１の第一反射面４４で全反射した後、ハーフミラー部材４６の第二反射面４７に入射する。そして、ハーフミラー部材４６を透過した透過光は、点状の透過光パターンＬａ２，Ｌａ３として発光する。
【００４６】
以降、発光ユニット３６の発光素子３８から照射された光の一部は、ミラー部材４１の第一反射面４４とハーフミラー部材４６の第二反射面４７との間で入反射を繰り返す。また、第一反射面４４で全反射した後、ハーフミラー部材４６の第二反射面４７に入射した光の一部は、ハーフミラー部材４６を透過し、点状の透過光パターン（本実施形態では透過光パターンＬａ４，Ｌａ５）として発光する。
【００４７】
図４は、発光装飾装置３０の拡大図である。
ハーフミラー部材４６は、第二反射面４７が発光ユニット３６側に面するように傾斜しているとともに、第一反射面４４と第二反射面４７との離間距離が、光の進行方向の上流側から下流側（すなわち発光ユニット３６から離れる方向）に向かって漸次小さくなっている。
ここで、光の進行方向の上流側から下流側に向かって、隣り合う透過光パターンＬａ１と透過光パターンＬａ２との離間距離をα１とし、隣り合う透過光パターンＬａ２と透過光パターンＬａ３との離間距離をα２とし、隣り合う透過光パターンＬａ３と透過光パターンＬａ４との離間距離をα３とし、隣り合う透過光パターンＬａ４と透過光パターンＬａ５との離間距離をα４としたとき、
α１＞α２＞α３＞α４
となる。すなわち、図３および図４に示すように、ハーフミラー部材表面４８から視認される透過光パターンＬａ１〜Ｌａ５は、隣り合う透過光パターンの間隔α１〜α４が発光ユニット３６から遠ざかるにつれて漸次狭くなる。
【００４８】
また、発光ユニット３６から遠ざかるにつれて、透過光パターンＬａ１〜Ｌａ５の輝度は漸次低下する。すなわち、ハーフミラー部材表面４８から視認される透過光パターンＬａ１〜Ｌａ５の輝度は、光の進行方向の上流側から下流側に向かって、透過光パターンＬａ１，Ｌａ２，Ｌａ３，Ｌａ４，Ｌａ５の順に、漸次低くなる。
このように、発光装飾装置３０は、ハーフミラー部材４６を透過した透過光パターンＬａ１〜Ｌａ５により、遊技者に視認される複数の透過光パターンＬａ１〜Ｌａ５の輝度を異ならせるとともに、複数の透過光パターンＬａ１〜Ｌａ５の間隔α１〜α４を異ならせ、立体感を有するとともに変化に富む光装飾をなしている。
【００４９】
本実施形態によれば、ミラー部材４１の第一反射面４４とハーフミラー部材４６の第二反射面４７とは、離間距離が変化するように設けられているので、ミラー部材４１の第一反射面４４とハーフミラー部材４６の第二反射面４７との間で反射する光の移動距離が異なるとともに、隣り合う光の反射位置の間隔が異なることになる。これにより、遊技者に視認される複数の透過光パターンＬａ１〜Ｌａ５の輝度を異ならせるとともに、複数の透過光パターンＬａ１〜Ｌａ５の間隔を異ならせることができるので、立体感を有するとともに変化に富む透過光パターンＬａ１〜Ｌａ５を表示することができる。したがって、発光装飾装置３０の演出効果を高めることにより遊技の興趣を向上できる。
【００５０】
また、ハーフミラー部材４６は、ミラー部材４１に対して傾斜するように設置されているので、ハーフミラー部材４６の傾斜方向に沿って遊技者に視認される複数の透過光パターンＬａ１〜Ｌａ５の輝度を異ならせるとともに、複数の透過光パターンＬａ１〜Ｌａ５の間隔を異ならせることができ、発光装飾装置３０にさらなる立体感を付与することができる。したがって、発光装飾装置３０の演出効果をさらに高めることにより遊技の興趣を一層向上できる。
また、ミラー部材４１が遊技盤面３Ａに対して平行に設置されているので、発光装飾装置３０を遊技盤面３Ａに対して容易にかつ安定して装着することができる。
【００５１】
また、ハーフミラー部材４６の第二反射面４７を透過した透過光パターンＬａ１〜Ｌａ５は、隣り合う透過光パターンＬａ１〜Ｌａ５の間隔が光源から遠ざかるにつれて漸次狭くなるとともに、輝度が漸次低下するので、遊技盤面３Ａの厚さ方向（すなわち前後方向）に奥行があるように、立体感を持った演出効果を発揮できる。
【００５２】
また、レンズ５１として光拡散レンズ（光拡散部）を設けることにより、光の拡散度合を所望に設定できるとともに、視認性に優れた透過光パターンＬａ１〜Ｌａ５とすることができる。
【００５３】
また、ミラー部材４１の第一反射面４４とハーフミラー部材４６の第二反射面４７とに光が入射するので、ミラー部材４１の第一反射面４４とハーフミラー部材４６の第二反射面４７とで光を複数回反射させることができる。これにより、多くの透過光パターンＬａ１〜Ｌａ５を表示させることができるので、発光装飾装置３０の演出効果をさらに高めることにより遊技の興趣を一層向上できる。
【００５４】
また、発光ユニット３６の発光素子３８が多色発光してもよい。この場合、異なる色で複数の透過光パターンＬａ１〜Ｌａ５を表示させることができる。したがって、発光装飾装置３０の演出効果をさらに高めることにより遊技の興趣を一層向上できる。
【００５５】
（実施形態の変形例）
続いて、実施形態の変形例に係る発光装飾装置１３０について説明する。
図５は、実施形態の変形例に係る発光装飾装置１３０の分解斜視図である。
図６は、図１のＢ−Ｂ線に沿った断面図である。
実施形態の変形例では、図１に示すように、遊技領域３Ｂにおける演出表示装置１２よりも右側に設けられた第２の発光装飾装置１３０について説明する。
【００５６】
実施形態に係る発光装飾装置３０は、前方から見て扇形状に形成されており（図１参照）、ミラー部材４１の第一反射面４４とハーフミラー部材４６の第二反射面４７との離間距離が、光の進行方向の上流側から下流側（すなわち発光ユニット３６から離れる方向）に向かって漸次小さくなっていた（図３参照）。
これに対して、実施形態の変形例に係る発光装飾装置１３０は、図５および図６に示すように、前方から見て円形状に形成されており、ミラー部材１４１の第一反射面１４４とハーフミラー部材１４６の第二反射面１４７との離間距離が、発光装飾装置１３０の径方向の外側から中央に向かって漸次小さくなっている点で、実施形態とは異なっている。なお、以下では、実施形態と同様の構成部分については詳細な説明を省略する。
【００５７】
図５に示すように、実施形態の変形例に係る発光装飾装置１３０は、ベース部材１３１と、ミラー部材１４１と、発光ユニット１３６（請求項の「発光手段」に相当。）と、ハーフミラー部材１４６と、レンズ１５１と、ケース部材１５６と、を備えている。
ベース部材１３１は、遊技盤面３Ａ（図１参照）側に底部１３１ａを有する有底の円筒状に形成されている。底部１３１ａは、平坦に形成されている。発光装飾装置１３０は、底部１３１ａを遊技盤３（図１参照）に対して例えばボルト等で締結することにより、遊技盤面３Ａ（図１参照）上に固定される。
【００５８】
ミラー部材１４１は、外形が円盤状の部材であり、前方の主面（すなわちベース部材１３１とは反対側の面）が第一反射面１４４となっている。第一反射面１４４は、平坦に形成されている。ミラー部材１４１は、第一反射面１４４とは反対側の主面がベース部材１３１の底部１３１ａに対して面接触した状態で、例えばスナップフィット等によりベース部材１３１に固定される。
【００５９】
発光ユニット１３６は、長尺のフレキシブル基板１３７の長手方向に並んで発光素子１３８を複数設けることにより形成されている。発光ユニット１３６は、フレキシブル基板１３７を環状に湾曲させることにより、ベース部材１３１の筒部の内側においてほぼ全周にわたり、ミラー部材１４１の外縁部に沿うように配置される。これにより、発光ユニット１３６の発光素子１３８は、発光装飾装置１３０の径方向の外側から中心に向かって、光を照射することができる。
【００６０】
ハーフミラー部材１４６は、外形状がミラー部材１４１と略同一の円形状をなすとともに、前方に向かって膨出している。ハーフミラー部材１４６は、発光ユニット１３６を挟んでミラー部材１４１とは反対側に配置されており、ミラー部材１４１に対向して設けられている。
図６に示すように、ハーフミラー部材１４６の両主面のうち、ミラー部材１４１に面する主面は、第二反射面１４７となっている。第二反射面１４７は、前方（図６における上方）に凹んだ凹曲面状に形成されている。これにより、ミラー部材１４１の第一反射面１４４と、ハーフミラー部材１４６の第二反射面１４７との離間距離は、径方向の外側から中央に向かって、漸次大きくなっている。
【００６１】
レンズ１５１は、外形状がハーフミラー部材１４６と略同一の円形状をなすとともに、前方に向かって膨出している。レンズ１５１は、ハーフミラー部材１４６よりも前方（すなわち遊技者側）において、ハーフミラー部材表面１４８の全面に接触しており、ハーフミラー部材１４６に対して積層されている。
ケース部材１５６は、例えばベース部材１３１と嵌合可能な筒状の部材である。ケース部材１５６の前壁１５７には、複数の孔部１５７ａが形成されており、孔部１５７ａを通じて透過光パターンＬｂ１〜Ｌｂ４を視認することができる。なお、図６では、ケース部材１５６の前壁１５７（図５参照）の図示を省略している。
【００６２】
続いて、上述のように構成された実施形態の変形例に係る発光装飾装置１３０の作用について説明する。以下では、発光ユニット１３６の発光素子１３８から照射された光が、ハーフミラー部材１４６の第二反射面１４７に直接入射した後、第一反射面１４４と第二反射面１４７との間で反射を繰り返しつつ発光装飾装置１３０の中央に向かって進行する場合について説明をする。なお、発光ユニット１３６の発光素子１３８から照射された光が、ミラー部材１４１の第一反射面１４４に直接入射した後、第一反射面１４４と第二反射面１４７との間で反射を繰り返しつつ発光装飾装置１３０の中央に進行する場合については、同様であるため説明を省略する。
【００６３】
発光ユニット１３６の発光素子１３８から照射された光は、まず、ハーフミラー部材１４６の第二反射面１４７に入射する。ハーフミラー部材１４６は、入射した光の一部を透過し、第二反射面１４７とは反対側のハーフミラー部材表面１４８から発光装飾装置１３０の外部に向かって放出する。これにより、ハーフミラー部材１４６を透過した透過光は、点状の透過光パターンＬｂ１として発光する。また、ハーフミラー部材１４６は、第二反射面１４７に入射した光の一部を、第二反射面１４７と対向するミラー部材１４１の第一反射面１４４に向けて反射する。
【００６４】
次いで、ミラー部材１４１の第一反射面１４４に入射した光は、ミラー部材１４１の第一反射面１４４で全反射した後、ハーフミラー部材１４６の第二反射面１４７に再び入射する。そして、ハーフミラー部材１４６を透過した透過光は、点状の透過光パターンＬｂ２として発光する。
以降、発光ユニット１３６の発光素子１３８から照射された光は、ミラー部材１４１の第一反射面１４４とハーフミラー部材１４６の第二反射面１４７との間で入反射を繰り返す。また、第一反射面１４４で全反射した後、ハーフミラー部材１４６の第二反射面１４７に入射した光の一部は、ハーフミラー部材１４６を透過し、点状の透過光パターン（本実施形態では透過光パターンＬｂ３，Ｌｂ４）として発光する。
【００６５】
図７は、実施形態の変形例に係る発光装飾装置１３０の拡大図である。なお、分かり易くするため、図７では、ケース部材１５６の図示を簡略化しており、ケース部材１５６の前壁１５７の図示を省略している。
ハーフミラー部材１４６は、第二反射面１４７が前方に凹んだ凹曲面状に形成されるとともに、第一反射面１４４と第二反射面１４７との離間距離が、発光装飾装置１３０における径方向の外側から中央に向かって、大きくなっている。
ここで、発光装飾装置１３０における径方向の外側から中央に向かって、隣り合う透過光パターンＬｂ１と透過光パターンＬｂ２との離間距離をβ１とし、隣り合う透過光パターンＬｂ２と透過光パターンＬｂ３との離間距離をβ２とし、隣り合う透過光パターンＬｂ３と透過光パターンＬｂ４との離間距離をβ３としたとき、
β１＜β２＜β３
となる。すなわち、図６および図７に示すように、ハーフミラー部材表面１４８から視認される透過光パターンＬｂ１〜Ｌｂ４の間隔β１〜β３は、発光ユニット１３６から遠ざかるとともに発光装飾装置１３０の中央に近づくにつれて漸次広くなる。
【００６６】
また、発光ユニット１３６から遠ざかるにつれて、透過光パターンＬｂ１〜Ｌｂ４の輝度は漸次低下する。すなわち、ハーフミラー部材表面１４８から視認される透過光パターンＬｂ１〜Ｌｂ４の輝度は、発光装飾装置１３０における径方向の外側から中央に向かって、透過光パターンＬｂ１，Ｌｂ２，Ｌｂ３，Ｌｂ４の順に、漸次低くなる。
このように、実施形態の変形例に係る発光装飾装置１３０は、ハーフミラー部材１４６を透過した透過光により、遊技者に視認される複数の透過光パターンＬｂ１〜Ｌｂ４の輝度を異ならせるとともに、複数の透過光パターンＬｂ１〜Ｌｂ４の間隔β１〜β３を異ならせ、立体感を有するとともに変化に富む光装飾をなしている。したがって、発光装飾装置１３０の演出効果を高めることにより遊技の興趣を向上できる。
【００６７】
なお、この発明の技術範囲は上記の実施形態に限られるものではなく、本発明の趣旨を逸脱しない範囲において種々の変更を加えることが可能である。
【００６８】
発光装飾装置３０，１３０の形状や材料等は、実施形態および実施形態の変形例の態様に限定されない。したがって、例えば、前方から見て三角形状をした発光装飾装置であってもよい。
【００６９】
また、発光装飾装置３０，１３０に設けられる発光ユニット３６，１３６の構成は、実施形態および実施形態の変形例に限定されない。したがって、発光ユニット３６，１３６は、フレキシブル基板３７，１３７に換えてガラスエポキシ基板を備えてもよい。
また、発光装飾装置３０，１３０に設けられる発光ユニット３６，１３６の配置は、実施形態および実施形態の変形例に限定されない。したがって、例えばミラー部材４１，１４１の第一反射面４４，１４４側の一部分を覆うように発光ユニット３６，１３６を配置してもよい。発光ユニット３６，１３６から出射される光が、ミラー部材４１，１４１の第一反射面４４，１４４およびハーフミラー部材４６，１４６の第二反射面４７，１４７の少なくともいずれかに入射することができれば、本発明の作用効果を奏することができる。
【００７０】
実施形態および実施形態の変形例では、レンズ５１，１５１に光拡散レンズを採用することにより、光拡散部を設けていたが、光拡散部は光拡散レンズに限定されない。例えばいわゆる光拡散シートを、ハーフミラー部材４６，１４６の表面に貼付することにより、光拡散部を設けてもよい。
【００７１】
実施形態の発光装飾装置３０では、ハーフミラー部材４６がミラー部材４１に対して傾斜するように設置されるとともに、ミラー部材４１の第一反射面４４とハーフミラー部材４６の第二反射面４７との離間距離が、光の進行方向の上流側から下流側に向かって漸次小さくなっていた。また、実施形態の変形例に係る発光装飾装置１３０では、ハーフミラー部材１４６の第二反射面１４７が凹曲面状に形成されるとともに、ミラー部材１４１の第一反射面１４４とハーフミラー部材１４６の第二反射面１４７との離間距離が、発光装飾装置１３０の径方向の外から中央に向かうにしたがって、漸次大きくなっていた。これに対して、本発明によれば、ミラー部材４１，１４１の第一反射面４４，１４４とハーフミラー部材４６，１４６の第二反射面４７，１４７との離間距離が変化するように設けられてさえいれば、遊技者に視認される複数の透過光パターンの輝度を異ならせるとともに、複数の透過光パターンの間隔を異ならせることができる。したがって、例えば、ハーフミラー部材の第二反射面が後方に向かって凸曲面状に形成されていてもよいし、波型形状に形成されていてもよい。
【００７２】
その他、本発明の趣旨を逸脱しない範囲で、上記した実施の形態における構成要素を周知の構成要素に置き換えることは適宜可能である。
【符号の説明】
【００７３】
１・・・パチンコ遊技機（遊技機）  ３・・・遊技盤  ３Ａ・・・遊技盤面  ３０，１３０・・・発光装飾装置（発光装飾手段）  ３６，１３６・・・発光ユニット（発光手段）  ４１，１４１・・・ミラー部材  ４４，１４４・・・第一反射面  ４６，１４６・・・ハーフミラー部材  ４７，１４７・・・第二反射面  ４８，１４８・・・ハーフミラー部材表面
【図１】
2015027364.tif 000003
【図２】
2015027364.tif 000004
【図３】
2015027364.tif 000005
【図４】
2015027364.tif 000006
【図５】
2015027364.tif 000007
【図６】
2015027364.tif 000008
【図７】
2015027364.tif 000009